(57)【要約】【課題】ＴＤＬＳ（Ｔｕｎｎｅｌｅｄ  Ｄｉｒｅｃｔ  Ｌｉｎｋ  Ｓｅｔｕｐ）イニシエータによるＴＤＬＳ樹立手順及び前記手順をサポートするステーションを提供する。【解決手段】前記設定手順において、要求ｎｏｎ−ＡＰ  ＱＳＴＡは、対象ピアｎｏｎ−ＡＰ  ＱＳＴＡにＡＰを経由してＴＤＬＳ設定要求フレームを送信する。また、前記要求ｎｏｎ−ＡＰ  ＱＳＴＡは、前記ＴＤＬＳ設定要求フレームに応えて前記対象ピアｎｏｎ−ＡＰ  ＱＳＴＡから前記ＡＰを経由してＴＤＬＳ設定応答フレームを受信する。また、前記要求ｎｏｎ−ＡＰ  ＱＳＴＡは、前記ＴＤＬＳ設定応答フレームに応えて前記対象ピアステーションに前記ＡＰを経由してＴＤＬＳ設定確認フレームを送信する。【選択図】図５
2010539844.tif 000002
【特許請求の範囲】
【請求項１】
ＴＤＬＳ（Ｔｕｎｎｅｌｅｄ  Ｄｉｒｅｃｔ  Ｌｉｎｋ  Ｓｅｔｕｐ）イニシエータ（Ｉｎｉｔｉａｔｏｒ）のＴＤＬＳ樹立手順において、
対象ピアステーション（Ｐｅｅｒ  Ｓｔａｔｉｏｎ）にＡＰ（Ａｃｃｅｓｓ  Ｐｏｉｎｔ）を経由してＴＤＬＳ設定要求フレーム（ＴＤＬＳ  Ｓｅｔｕｐ  Ｒｅｑｕｅｓｔ  Ｆｒａｍｅ）を送信して、
前記ＴＤＬＳ設定要求フレームに応えて前記対象ピアステーションから前記ＡＰを経由してＴＤＬＳ設定応答フレーム（Ｒｅｓｐｏｎｓｅ  Ｆｒａｍｅ）を受信して、及び
前記ＴＤＬＳ設定応答フレームに応えて前記対象ピアステーションに前記ＡＰを経由してＴＤＬＳ設定確認フレーム（Ｃｏｎｆｉｒｍ  Ｆｒａｍｅ）を送信することを含むＴＤＬＳ樹立手順。
【請求項２】
前記ＴＤＬＳ設定確認フレームは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット情報要素（Ｐａｒａｍｅｔｅｒ  Ｓｅｔ  Ｉｎｆｏｒｍａｔｉｏｎ  Ｅｌｅｍｅｎｔ）を含むことを特徴とする請求項１に記載のＴＤＬＳ樹立手順。
【請求項３】
前記ＴＤＬＳ設定要求フレーム及び前記ＴＤＬＳ設定応答フレームの両方ともＱｏＳ（Ｑｕａｌｉｔｙ  ｏｆ  Ｓｅｒｖｉｃｅ）能力値（Ｃａｐａｂｉｌｉｔｙ）情報要素を含むことを特徴とする請求項２に記載のＴＤＬＳ樹立手順。
【請求項４】
前記ＴＤＬＳ設定確認フレームは、ＨＴ（Ｈｉｇｈ  Ｔｈｒｏｕｇｈｐｕｔ）作動情報要素（Ｏｐｅｒａｔｉｏｎ  Ｉｎｆｏｒｍａｔｉｏｎ  Ｅｌｅｍｅｎｔ）を含むことを特徴とする請求項１に記載のＴＤＬＳ樹立手順。
【請求項５】
前記ＴＤＬＳ設定要求フレーム及び前記ＴＤＬＳ設定応答フレームの両方ともＨＴ能力値情報要素を含むことを特徴とする請求項４に記載のＴＤＬＳ樹立手順。
【請求項６】
前記ＨＴ作動情報要素は、副チャネルオフセット要素（Ｓｅｃｏｎｄａｒｙ  Ｃｈａｎｎｅｌ  Ｏｆｆｓｅｔ  Ｅｌｅｍｅｎｔ）を含むことを特徴とする請求項４に記載のＴＤＬＳ樹立手順
【請求項７】
前記ＴＤＬＳイニシエータ及び前記対象ピアステーションは、前記同じＡＰに連結されていることを特徴とする請求項１に記載のＴＤＬＳ樹立手順。
【請求項８】
前記ＴＤＬＳ設定応答フレームは、‘成功（Ｓｕｃｃｅｓｓｆｕｌ）’を指示する値に設定された状態コードフィールド（Ｓｔａｔｕｓ  Ｃｏｄｅ  Ｆｉｅｌｄ）を含むことを特徴とする請求項１に記載のＴＤＬＳ樹立手順。
【請求項９】
ＴＤＬＳ（Ｔｕｎｎｅｌｅｄ  Ｄｉｒｅｃｔ  Ｌｉｎｋ  Ｓｅｔｕｐ）無線ネットワークにおけるダイレクトリンク（Ｄｉｒｅｃｔ  Ｌｉｎｋ）を設定するための手順において、
前記ダイレクトリンクの樹立手順を指示する第１のステーションは、第２のステーションから受信した前記ＴＤＬＳ設定応答フレームに応えてＡＰを経由して前記第２のステーションにＴＤＬＳ確認フレームを送信して、及び
前記ＴＤＬＳ確認フレームは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット情報要素を含むことを特徴とする手順。
【請求項１０】
前記ＥＤＣＡパラメータセット情報要素は、主チャネル及び／または副チャネルに使われるＱｏＳパラメータを含むことを特徴とする請求項９に記載の手順。
【請求項１１】
ＴＤＬＳ（Ｔｕｎｎｅｌｅｄ  Ｄｉｒｅｃｔ  Ｌｉｎｋ  Ｓｅｔｕｐ）無線ネットワークにおけるダイレクトリンク（Ｄｉｒｅｃｔ  Ｌｉｎｋ）を設定するための手順において、
前記ダイレクトリンクの樹立手順を指示する第１のステーションは、第２のステーションから受信したＴＤＬＳ設定応答フレームに応えてＴＤＬＳ確認フレームをＡＰを経由して前記第２のステーションに送信して、
前記ＴＤＬＳ設定応答フレームは、ＴＤＬＳ設定要求フレームに応えて前記第２のステーションによって前記第１のステーションに送信されて、
前記ＴＤＬＳ確認フレームは、ＨＴ作動情報要素を含むことを特徴とする手順。
【請求項１２】
前記ＨＴ動作情報要素は、副チャネルオフセット要素を含むことを特徴とする請求項１１に記載の手順。
【請求項１３】
ＴＤＬＳ（Ｔｕｎｎｅｌｅｄ  Ｄｉｒｅｃｔ  Ｌｉｎｋ  Ｓｅｔｕｐ）イニシエータの対象ピアステーションに対するＴＤＬＳ樹立手順において、
前記ＴＤＬＳイニシエータからＡＰを経由してＴＤＬＳ設定要求フレームを受信して、
前記ＴＤＬＳ設定要求フレームに応えて前記ＴＤＬＳイニシエータに前記ＡＰを経由してＴＤＬＳ設定応答フレームを送信して、及び
前記ＴＤＬＳ設定応答フレームに応えて前記ＴＤＬＳイニシエータから前記ＡＰを経由してＴＤＬＳ設定確認フレームを受信することを含むＴＤＬＳ樹立手順。
【請求項１４】
前記ＴＤＬＳ設定確認フレームは、ＥＤＣＡパラメータセット情報要素を含み、
前記ＥＤＣＡパラメータセット情報要素は、主チャネル及び／または副チャネルで使われるＱｏＳパラメータを含むことを特徴とする請求項１３に記載のＴＤＬＳ樹立手順。
【請求項１５】
前記ＴＤＬＳイニシエータ及び前記対象ピアステーションは、前記同じＡＰに連結されていることを特徴とする請求項１３に記載のＴＤＬＳ樹立手順。
【請求項１６】
前記ＴＤＬＳ設定確認フレームは、ＨＴ作動情報要素を含み、
前記ＨＴ作動情報要素は、副チャネルオフセット要素を含むことを特徴とする請求項１３に記載のＴＤＬＳ樹立手順。
【請求項１７】
前記対象ピアステーションが前記ダイレクトリンクを許容する場合、前記ＴＤＬＳ設定応答フレームに含まれたＴＤＬＳ状態コードフィールドに‘成功’を示す値が設定されることを特徴とする請求項１３に記載のＴＤＬＳ樹立手順。
【請求項１８】
無線ＬＡＮ（Ｗｉｒｅｌｅｓｓ  Ｌｏｃａｌ  Ａｃｃｅｓｓ  Ｎｅｔｗｏｒｋ）におけるＴＤＬＳ（Ｔｕｎｎｅｌｅｄ  Ｄｉｒｅｃｔ  Ｌｉｎｋ  Ｓｅｔｕｐ）をサポートするためのステーションにおいて、
フレームを生成して処理するプロセッサ；及び
前記プロセッサと連結されて、前記プロセッサのために前記フレームを送信及び受信する送受信機を含み、
前記ステーションは、ＡＰを経由して対象ピアステーションにＴＤＬＳ設定要求フレームを送信して、前記ＴＤＬＳ設定要求フレームに応えて前記対象ピアステーションから前記ＡＰを経由してＴＤＬＳ設定応答フレームを受信して、前記ＴＤＬＳ設定応答フレームに応えて前記対象ピアステーションに前記ＡＰを経由してＴＤＬＳ設定確認フレームを送信することを特徴とするステーション。
【請求項１９】
前記ＴＤＬＳ設定確認フレームは、ＥＤＣＡパラメータセット情報要素及び／またはＨＴ作動情報要素を含むことを特徴とする請求項１８に記載のステーション。
【請求項２０】
無線ＬＡＮにおけるＴＤＬＳ（Ｔｕｎｎｅｌｅｄ  Ｄｉｒｅｃｔ  Ｌｉｎｋ  Ｓｅｔｕｐ）をサポートするステーションにおいて、
フレームを生成して処理するプロセッサ；及び
前記プロセッサと連結されて、前記プロセッサのために前記フレームを送信及び受信する送受信機を含み、
前記ステーションは、ＴＤＬＳイニシエータからＡＰを経由してＴＤＬＳ設定要求フレームを受信して、前記ＴＤＬＳ設定要求フレームに応えて前記ＴＤＬＳイニシエータに前記ＡＰを経由してＴＤＬＳ設定応答フレームを送信して、前記ＴＤＬＳ設定応答フレームに応えて前記ＴＤＬＳイニシエータから前記ＡＰを経由してＴＤＬＳ設定確認フレームを受信することを特徴とするステーション。
【発明の詳細な説明】
【技術分野】
【０００１】
本発明は、無線ＬＡＮ（Ｗｉｒｅｌｅｓｓ  Ｌｏｃａｌ  Ａｒｅａ  Ｎｅｔｗｏｒｋ、ＷＬＡＮ）に関し、より詳しくは、トンネルダイレクトリンク設定（Ｔｕｎｎｅｌｅｄ  Ｄｉｒｅｃｔ  Ｌｉｎｋ  Ｓｅｔｕｐ、ＴＤＬＳ）無線ネットワークにおけるダイレクトリンク設定手順及びこれをサポートするステーションに関する。
【背景技術】
【０００２】
情報通信技術の発展とともに多様な無線通信技術が開発されている。このうち、無線ＬＡＮ（Ｗｉｒｅｌｅｓｓ  Ｌｏｃａｌ  Ａｒｅａ  Ｎｅｔｗｏｒｋ、ＷＬＡＮ）は、ラジオ周波数技術に基づいて個人携帯用情報端末機（Ｐｅｒｓｏｎａｌ  ｄｉｇｉｔａｌ  ａｓｓｉｓｔａｎｔ、ＰＤＡ）、ラップトップコンピュータ（Ｌａｐｔｏｐ  Ｃｏｍｐｕｔｅｒ）、携帯型マルチメディアプレイヤ（Ｐｏｒｔａｂｌｅ  Ｍｕｌｔｉｍｅｄｉａ  Ｐｌａｙｅｒ、ＰＭＰ）などのような携帯型端末機を介して家庭、企業または航空機などのような特定サービス提供地域で無線でインターネットに接続できるようにする技術である。
【０００３】
無線ＬＡＮの増加された活用に応じて、現在、ラップトップコンピュータユーザのような携帯端末ユーザは、増加された移動性で作業をすることができる。例えば、ユーザは、データを受信するために自分のローカルネットワークに接続した状態でラップトップコンピュータを自分の机から会議に参加するために会議室に持っていくことができ、有線接続に拘らずローカルネットワーク上のモデムやゲートウェイを介してインターネットに接続できる。同様に、業務出張者もイメールを受信または送信したり、イメールを確認するために彼らのイメールアカウントに接続するように携帯端末を使用することができる。
【０００４】
初期の無線ＬＡＮ技術は、ＩＥＥＥ８０２．１１を介して２．４ＧＨｚ周波数を使用して周波数ホッピング、帯域拡散、赤外線通信などによって１〜２Ｍｂｐｓの速度をサポートした。最近には無線通信技術の発展に応じて直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘ、ＯＦＤＭ）技術などを無線ＬＡＮに適用して最大５４Ｍｂｐｓの速度をサポートすることができるようにしている。その他、ＩＥＥＥ８０２．１１ではサービス品質（Ｑｕａｌｉｔｙ  ｏｆ  Ｓｅｒｖｉｃｅ、ＱｏＳ）の向上、アクセスポイント（Ａｃｃｅｓｓ  Ｐｏｉｎｔ、ＡＰ）プロトコル互換、セキュリティ強化（Ｓｅｃｕｒｉｔｙ  Ｅｎｈａｎｃｅｍｅｎｔ）、無線リソース測定（Ｗｉｒｅｌｅｓｓ  Ｒｅｓｏｕｒｃｅ  Ｍｅａｓｕｒｅｍｅｎｔ）、車両環境のための無線接続（Ｗｉｒｅｌｅｓｓ  Ａｃｃｅｓｓ  ｉｎ  Ｖｅｈｉｃｕｌａｒ  Ｅｎｖｉｒｏｎｍｅｎｔ）、迅速なローミング（Ｆａｓｔ  Ｒｏａｍｉｎｇ）、メッシュネットワーク（Ｍｅｓｈ  Ｎｅｔｗｏｒｋ）、外部ネットワークとの相互作用（Ｉｎｔｅｒ−Ｗｏｒｋｉｎｇ  ｗｉｔｈ  Ｅｘｔｅｒｎａｌ  Ｎｅｔｗｏｒｋ）、無線ネットワーク管理（Ｗｉｒｅｌｅｓｓ  Ｎｅｔｗｏｒｋ  Ｍａｎａｇｅｍｅｎｔ）などのための無線通信技術を開発して実用化し、現在にも開発中である。
【０００５】
ＩＥＥＥ８０２．１１において、基本サービスセット（Ｂａｓｉｃ  Ｓｅｒｖｉｃｅ  Ｓｅｔ、ＢＳＳ）は、成功裏に同期したお互いに通信できるステーション（Ｓｔａｔｉｏｎ、ＳＴＡ）の集合である。基本サービス地域（Ｂａｓｉｃ  Ｓｅｒｖｉｃｅ  Ａｒｅａ、ＢＳＡ）は、前記ＢＳＳの構成員を含む地域である。前記ＢＳＡは、無線媒体の伝達特性に応じて異なることができるため、他のＢＳＳの構成員を含むこともできる。
【０００６】
ＢＢＳは、基本的に独立ＢＢＳ（Ｉｎｄｅｐｅｎｄｅｎｔ  ＢＢＳ、ＩＢＢＳ）インフラストラクチャＢＢＳ（Ｉｎｆｒａ−ｓｔｒｕｃｔｕｒｅｄ  ＢＢＳ）の二つの種類に分類されることができる。前記前者は。独立的な（Ｓｅｌｆ−Ｃｏｎｔａｉｎｅｄ）ネットワークで構成されるため、分配システム（Ｄｉｓｔｒｉｂｕｔｉｏｎ  Ｓｙｓｔｅｍ、ＤＳ）への接近が許容されない。前記後者は、一つまたはその以上のアクセスポイント（Ａｃｃｅｓｓ  Ｐｏｉｎｔ、ＡＰ）及び分配システムを含み、ｎｏｎ−ＡＰ  ＳＴＡ間通信を含む全ての通信過程中に前記ＡＰを使用する。
【０００７】
初期無線ＬＡＮ通信手順において、インフラストラクチャＢＢＳ上でＡＰを介してＤＡＴＡの送信が要求されたため、インフラストラクチャＢＳＳ上でｎｏｎ−ＡＰ  ＳＴＡ間データのダイレクト送信（Ｄｉｒｅｃｔ  Ｔｒａｎｓｍｉｓｓｉｏｎ）は許容されなかった。最近、無線通信の効率性を改善させるために、サービス品質（Ｑｕａｌｉｔｙ  ｏｆ  Ｓｅｒｖｉｃｅ、ＱｏＳ）をサポートするｎｏｎ−ＡＰ  ＳＴＡ間ダイレクトリンク設定（Ｄｉｒｅｃｔ  Ｌｉｎｋ  Ｓｅｔｕｐ、ＤＬＳ）が紹介された。従って、ＱｏＳをサポートするＢＢＳ上では、換言すると、サービス品質ＳＴＡ（ＱｏＳ  ＳＴＡ、ＱＳＴＡ）及びサービス品質ＡＰ（Ｑｕａｌｉｔｙ  ｏｆ  Ｓｅｒｖｉｃｅ  ＡＰ、ＱＡＰ）を含むＱＢＳＳ上では、ｎｏｎ−ＡＰ  ＳＴＡ間ダイレクトリンクの設定をすることができ、ダイレクトリンクを介して相互直接通信が可能である。
【発明の概要】
【発明が解決しようとする課題】
【０００８】
前述した通り、既存のＤＬＳ設定手順は、ＢＳＳがＱｏＳをサポートするＱＢＳＳという前提とする。ＱＢＳＳ上で、ｎｏｎ−ＡＰ  ＳＴＡだけでなく、ＡＰもＱｏＳをサポートするＱＡＰに該当する。現在、使われている大部分の無線ＬＡＮ環境（Ｅｎｖｉｒｏｎｍｅｎｔ）において（例えば、ＩＥＥＥ８０２．１１ａ／ｂ／ｇの標準規格に従う無線ＬＡＮ環境）、ｎｏｎ−ＡＰ  ＳＴＡは、ＱｏＳをサポートするＱＳＴＡであるが、ＡＰは、ＱｏＳをサポートしないレガシ（Ｌｅｇａｃｙ）ＡＰである。結果的に、現在使用中である無線ＬＡＮ環境において、ＱＳＴＡがＤＬＳサービスを活用することができないという制限が存在する。
【０００９】
トンネルダイレクトリンク設定（Ｔｕｎｎｅｌｅｄ  Ｄｉｒｅｃｔ  Ｌｉｎｋ  Ｓｅｔｕｐ、ＴＤＬＳ）は、既存のＤＬＳサービスにおいて、前記のような制約を克服するために新たに提案された無線通信プロトコルである。ＴＤＬＳは、現在、使われているＩＥＥＥ８０２．１１ａ／ｂ／ｇの標準規格に従う無線ＬＡＮ環境においても、ＱＳＴＡがダイレクトリンクを設定することができるようにする。従って、ＴＤＬＳは、レガシＡＰによって管理されるＢＳＳ上でも、ＱＳＴＡがダイレクトリンクを設定することを許容する手順を定義する。以下、ＴＤＬＳ手順をサポートする無線ネットワークをＴＤＬＳ無線ネットワーク（ＴＤＬＳ  Ｗｉｒｅｌｅｓｓ  Ｎｅｔｗｏｒｋ）と呼ぶ。
【００１０】
ＴＤＬＳ無線ネットワークにおいて、まず、二つのｎｏｎ−ＡＰ  ＱＳＴＡ間ダイレクトリンクの設定手順を細部的に定義することが必要である。特に、ＴＤＬＳ無線ネットワークにおいて、ＡＰは、ダイレクトリンク設定手順をサポートしないため、ダイレクトリンクの設定手順を直接実行しない。従って、ダイレクトリンク設定手順を効率的且つ確実にすることが必要である。
【００１１】
また、設定されたダイレクトリンクを介してｎｏｎ−ＡＰ  ＱＳＴＡ間通信においてｎｏｎ−ＡＰ  ＱＳＴＡのＱｏＳ機能（Ｆａｃｉｌｉｔｙ）が適切に実行されるように許容することが必要である。さらに、ｎｏｎ−ＡＰ  ＱＳＴＡがＩＥＥＥ８０２．１１ｎの高処理率（Ｈｉｇｈ  Ｔｈｒｏｕｇｈｐｕｔ、ＨＴ）能力をサポートする場合、ｎｏｎ−ＡＰ  ＱＳＴＡの高処理率能力が適切に実行されるように許容した方が良い。
【００１２】
従って、本発明の目的は、ＴＤＬＳ無線ネットワークにおいて、高い信頼度（Ｒｅｌｉａｂｌｉｌｉｔｙ）をもつダイレクトリンク設定手順及び前記手順をサポートするステーションを提供することである。
【００１３】
本発明の他の目的は、ＴＤＬＳ無線ネットワークにおいて、相互ダイレクトリンクを設定しようとする二つのｎｏｎ−ＡＰ  ＱＳＴＡがダイレクトリンク設定の完了状態を持続することを許容する無線ネットワークダイレクトリンク設定手順及び前記手順をサポートするステーションを提供することである。
【００１４】
本発明の他の目的は、ＴＤＬＳ無線ネットワークにおいて、相互間ダイレクトリンクを設定したｎｏｎ−ＡＰ  ＱＳＴＡ間の通信が適切に行われるようにするためにＱｏＳ能力（ｃａｐａｂｉｌｉｔｙ）及び／またはＨＴ能力を許容するダイレクトリンク設定手順及び前記手順をサポートするステーションを提供することである。
【課題を解決するための手段】
【００１５】
本発明の一態様によると、ＴＤＬＳ（Ｔｕｎｎｅｌｅｄ  Ｄｉｒｅｃｔ  Ｌｉｎｋ  Ｓｅｔｕｐ）イニシエータ（Ｉｎｉｔｉａｔｏｒ）のＴＤＬＳ樹立手順が提供される。前記手順は、対象ピアステーション（Ｐｅｅｒ  Ｓｔａｔｉｏｎ）にＡＰ（Ａｃｃｅｓｓ  Ｐｏｉｎｔ）を経由してＴＤＬＳ設定要求フレーム（ＴＤＬＳ  Ｓｅｔｕｐ  Ｒｅｑｕｅｓｔ  Ｆｒａｍｅ）を送信して、前記ＴＤＬＳ設定要求フレームに応えて前記対象ピアステーションから前記ＡＰを経由してＴＤＬＳ設定応答フレーム（Ｒｅｓｐｏｎｓｅ  Ｆｒａｍｅ）を受信して、及び前記ＴＤＬＳ設定応答フレームに応えて前記対象ピアステーションに前記ＡＰを経由してＴＤＬＳ設定確認フレーム（Ｃｏｎｆｉｒｍ  Ｆｒａｍｅ）を送信することを含む。
【００１６】
本発明の他の態様によると、ＴＤＬＳ（Ｔｕｎｎｅｌｅｄ  Ｄｉｒｅｃｔ  Ｌｉｎｋ  Ｓｅｔｕｐ）無線ネットワークにおけるダイレクトリンク（Ｄｉｒｅｃｔ  Ｌｉｎｋ）を設定するための手順が提供される。前記手順は、前記ダイレクトリンクの樹立手順を指示する第１のステーションは、第２のステーションから受信した前記ＴＤＬＳ設定応答フレームに応えてＡＰを経由して前記第２のステーションにＴＤＬＳ確認フレームを送信して、及び前記ＴＤＬＳ確認フレームは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット情報要素及び／またはＨＴ作動情報要素を含む。
【００１７】
また、本発明の他の態様によると、ＴＤＬＳ（Ｔｕｎｎｅｌｅｄ  Ｄｉｒｅｃｔ  Ｌｉｎｋ  Ｓｅｔｕｐ）イニシエータの対象ピアステーションに対するＴＤＬＳ樹立手順が提供される。前記手順は、前記ＴＤＬＳイニシエータからＡＰを経由してＴＤＬＳ設定要求フレームを受信して、前記ＴＤＬＳ設定要求フレームに応えて前記ＴＤＬＳイニシエータに前記ＡＰを経由してＴＤＬＳ設定応答フレームを送信して、及び前記ＴＤＬＳ設定応答フレームに応えて前記ＴＤＬＳイニシエータから前記ＡＰを経由してＴＤＬＳ設定確認フレームを受信することを含む。
【００１８】
本発明の他の態様によると、無線ＬＡＮ（Ｗｉｒｅｌｅｓｓ  Ｌｏｃａｌ  Ａｃｃｅｓｓ  Ｎｅｔｗｏｒｋ）におけるＴＤＬＳ（Ｔｕｎｎｅｌｅｄ  Ｄｉｒｅｃｔ  Ｌｉｎｋ  Ｓｅｔｕｐ）をサポートするためのステーションが提供される。前記ステーションは、フレームを生成して処理するプロセッサ、及び前記プロセッサと連結されて、前記プロセッサのために前記フレームを送信及び受信する送受信機を含み、前記ステーションは、ＡＰを経由して対象ピアステーションにＴＤＬＳ設定要求フレームを送信して、前記ＴＤＬＳ設定要求フレームに応えて前記対象ピアステーションから前記ＡＰを経由してＴＤＬＳ設定応答フレームを受信して、前記ＴＤＬＳ設定応答フレームに応えて前記対象ピアステーションに前記ＡＰを経由してＴＤＬＳ設定確認フレームを送信する。
【００１９】
本発明の他の態様によると、無線ＬＡＮにおけるＴＤＬＳ（Ｔｕｎｎｅｌｅｄ  Ｄｉｒｅｃｔ  Ｌｉｎｋ  Ｓｅｔｕｐ）をサポートするステーションが提供される。前記ステーションは、フレームを生成して処理するプロセッサ、及び前記プロセッサと連結されて、前記プロセッサのために前記フレームを送信及び受信する送受信機を含み、前記ステーションは、ＴＤＬＳイニシエータからＡＰを経由してＴＤＬＳ設定要求フレームを受信して、前記ＴＤＬＳ設定要求フレームに応えて前記ＴＤＬＳイニシエータに前記ＡＰを経由してＴＤＬＳ設定応答フレームを送信して、前記ＴＤＬＳ設定応答フレームに応えて前記ＴＤＬＳイニシエータから前記ＡＰを経由してＴＤＬＳ設定確認フレームを受信する。
【発明の効果】
【００２０】
本発明の実施例によると、ＴＤＬＳ無線ネットワークにおけるダイレクトリンク設定手順の信頼度を向上させることができる。特に、ダイレクトリンク設定手順の完了に関する二つのｎｏｎ−ＡＰ  ＱＳＴＡ間の認識に差が生じることを防止して、前記二つのｎｏｎ−ＡＰ  ＱＳＴＡ間で前記手順の完了如何に対する一貫性を確保することができる。
【００２１】
また、本発明の他の実施例によると、ＴＤＬＳ無線ネットワークにおいて、ｎｏｎ−ＡＰ  ＱＳＴＡ間通信のためのダイレクトリンクが確立されたｎｏｎ−ＡＰ  ＱＳＴＡのＱｏＳ能力及び／またはＨＴ能力が可能である。
【図面の簡単な説明】
【００２２】
【図１】ＴＤＬＳフレームのフォーマットの一例を示すブロック図である。
【図２】ＴＤＬＳフレームの類型とこれに該当する値の一例を示す図面である。
【図３】ＱＢＳＳにおけるダイレクトリンク設定手順を示すメッセージシーケンスチャートである。
【図４】図３のダイレクトリンク設定手順をそのままＴＤＬＳ無線ネットワークに適用する場合のダイレクトリンク設定手順を示すメッセージシーケンスチャートである。
【図５】本発明の第１の実施例に係るＴＤＬＳ無線ネットワークにおけるダイレクトリンク設定手順を示すメッセージシーケンスチャートである。
【図６】ＴＤＬＳ設定要求フレームの情報フィールドに含まれる情報を示す図面である。
【図７】ＴＤＬＳ設定要求フレームに含まれるリンク識別子フィールドのフォーマットに対する一例を示すブロック図である。
【図８】ＴＤＬＳ設定応答フレームの情報フィールドに含まれる情報を示す図面である。
【図９】ＥＤＣＡパラメータセット情報要素のフォーマットの一例を示すブロック図である。
【図１０】パラメータレコードフィールドのフォーマットに対する一例を示すブロック図である。
【図１１】図５のダイレクトリンク設定手順に対するタイミングダイアグラムの一例を示す図面である。
【図１２】本発明の第２実施例に係るＴＤＬＳ無線ネットワークにおけるダイレクトリンク設定手順を示すメッセージシーケンスチャートである。
【発明を実施するための形態】
【００２３】
以下、添付図面を参照して本発明の実施例に対して詳細に説明する。
【００２４】
本発明の実施例が適用されることができるＴＤＬＳ無線ネットワークでは、たとえ、ＱｏＳをサポートしないレガシＡＰに結合（Ａｓｓｏｃｉａｔｉｏｎ）しているｎｏｎ−ＡＰ  ＱＳＴＡ（以下、単純に‘ＱＳＴＡ’という）であるとしても、相互間にダイレクトリンクを設定することができ、また、設定されたダイレクトリンクを解除することができる。いずれか一つのＱＳＴＡが他のＱＳＴＡとダイレクトリンクを設定したり、またはピアＱＳＴＡとのダイレクトリンクを解除するためには、ダイレクトリンクの設定、解除などのための管理作用フレーム（Ｍａｎａｇｅｍｅｎｔ  Ａｃｔｉｏｎ  Ｆｒａｍｅｓ）をレガシＡＰを介して送信及び受信することができるようにすべきである。然しながら、レガシＡＰは、二つのＱＳＴＡがＩＥＥＥ８０２．１１ｅによる既存のＤＬＳ手順に従って、ダイレクトリンクを設定したり、または設定されたダイレクトリンクの解除に直接的に関与できない問題がある。
【００２５】
このような問題を解決するための一つの方法は、ダイレクトリンク設定／解除手順と関連付けられている前記管理作用フレームをデータフレームの形態でエンカプセレーション（ｅｎｃａｐｓｕｌａｔｉｏｎ）させてピア（Ｐｅｅｒ）ＱＳＴＡに送信することである。これによると、二つのｎｏｎ−ＡＰ  ＳＴＡ間でデータフレームを中継することのように、レガシ（ｌｅｇａｃｙ）ＡＰは、単に前記管理作用フレームの送信を中継する機能のみを実行する。その結果、レガシＡＰは、ＴＤＬＳリンクの設定や管理、解除などの手順に全く関与しない。後述する本発明の実施例は、このように、ＴＤＬＳリンクの設定、解除、及び管理などのための管理作用フレームをデータフレームの形態でエンカプセレーションしてＡＰを介して送受信するＴＤＬＳ無線ネットワークに有用に適用されることができる。ここで、ＡＰは、レガシＡＰに限定されることではなく、ＴＤＬＳをサポートするＱＡＰであってもよい。
【００２６】
ＴＤＬＳ無線ネットワークシステムを構成する装置のうち、ｎｏｎ−ＡＰ  ＳＴＡは、ＩＥＥＥ８０２．１１標準の規定に従う媒体接続制御（Ｍｅｄｉｕｍ  Ａｃｃｅｓｓ  Ｃｏｎｔｒｏｌ、ＭＡＣ）及び無線媒体に対する物理層（Ｐｈｙｓｉｃａｌ  Ｌａｙｅｒ）インターフェースを含む装置である。ｎｏｎ−ＡＰ  ＳＴＡは、無線送信／受信ユニット（Ｗｉｒｅｌｅｓｓ  Ｔｒａｎｓｍｉｔ／Ｒｅｃｅｉｖｅ  Ｕｎｉｔ、ＷＴＲＵ）、ユーザ装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、または移動サブスクライバユニット（Ｍｏｂｉｌｅ  Ｓｕｂｓｃｒｉｂｅｒ  Ｕｎｉｔ）などで呼ばれることができる。ＱｏＳ（Ｑｕａｌｉｔｙ  ｏｆ  Ｓｅｒｖｉｃｅ）をサポートするｎｏｎ−ＡＰ  ＳＴＡをＮｏｎ−ＡＰ  ＱＳＴＡ、または単にＱＳＴＡという。
【００２７】
ｎｏｎ−ＡＰ  ＳＴＡは、プロセッサ（Ｐｒｏｃｅｓｓｏｒ）及び送受信機（ｔｒａｎｓｃｅｉｖｅｒ）を含み、また、ユーザインターフェース及びディスプレイ手段などをさらに含めてもよい。プロセッサは、無線ネットワークを介して送信するフレームを生成したり、または前記無線ネットワークを介して受信されたフレームを処理するように考案された機能ユニットとして、ステーションを制御し、また、ユーザによって且つユーザのための信号入力を処理する多様な機能を実行する。また、送受信機は、前記プロセッサと機能的に連結されており、ステーションのために無線ネットワークを介してフレームを送受信するように考案されたユニットである。
【００２８】
ＡＰは、無線局機能を有し、結合されたｎｏｎ−ＡＰ  ＳＴＡのために無線媒体を経由して分配システム（Ｄｉｓｔｒｉｂｕｔｉｏｎ  Ｓｙｓｔｅｍ、ＤＳ）に対する接続を提供する機能エンティティである。本発明の実施例によると、前記ＡＰは、サービス品質（ＱｏＳ）をサポートしないレガシＡＰであってもよいが、ここに限定されることではない。このようなＡＰは、集中制御器（Ｃｏｎｖｅｒｇｅｎｃｅ  Ｃｏｎｔｒｏｌｌｅｒ）、基地局（Ｂａｓｅ  Ｓｔａｔｉｏｎ、ＢＳ）、ノードＢ、またはサイト制御器（Ｓｉｔｅ  Ｃｏｎｔｒｏｌｌｅｒ）などの名称で呼ばれることもできる。
【００２９】
図１は、ＴＤＬＳ無線ネットワークにおいてダイレクトリンクを設定しようとしたり、またはダイレクトリンクを設定しているＱＳＴＡがＡＰを経由して相手方ＱＳＴＡ（または、Ｐｅｅｒ  ＱＳＴＡ）と送受信する媒体接続制御（Ｍｅｄｉｕｍ  Ａｃｃｅｓｓ  Ｃｏｎｔｒｏｌ、ＭＡＣ）フレーム（以下、‘ＴＤＬＳフレーム’という）のフォーマットの一例を示すブロック図である。図１を参照すると、ＴＤＬＳフレームは、ＭＡＣヘッダフィールド（ＭＡＣ  Ｈｅａｄｅｒ）、論理リンク制御（Ｌｏｇｉｃａｌ  Ｌｉｎｋ  Ｃｏｎｔｒｏｌ、ＬＬＣ）／サブネットワーク接続プロトコル（Ｓｕｂ−Ｎｅｔｗｏｒｋ  Ａｃｃｅｓｓ  Ｐｒｏｔｏｃｏｌ、ＳＮＡＰ）フィールド、リモートフレーム類型（Ｒｅｍｏｔｅ  Ｆｒａｍｅ  Ｔｙｐｅ）フィールド、ＴＤＬＳパケット類型（ＴＤＬＳ  Ｐａｃｋｅｔ  Ｔｙｐｅ）フィールド、情報（Ｉｎｆｏｒｍａｔｉｏｎ）フィールド、及びエラー訂正（Ｃｙｃｌｉｃ  Ｒｅｄｕｎｄａｎｃｙ  Ｃｏｄｅ、ＣＲＣ）フィールドを含む。また、ＴＤＬＳフレームは、プロトコルバージョンフィールド（Ｐｒｏｔｏｃｏｌ  Ｖｅｒｓｉｏｎ）をさらに含むことができる。
【００３０】
ＭＡＣヘッダフィールドにはほぼ全ての類型のフレームに共通される情報が含まれる。例えば、ＭＡＣヘッダフィールドは、フレーム制御（Ｆｒａｍｅ  Ｃｏｎｔｒｏｌ）フィールド、持続時間／ＩＤ（Ｄｕｒａｔｉｏｎ／ＩＤ）フィールド、複数の住所フィールド（Ａｄｄｒｅｓｓ１、Ａｄｄｒｅｓｓ２、Ａｄｄｒｅｓｓ３、Ａｄｄｒｅｓｓ４）、シーケンス制御（Ｓｅｑｕｅｎｃｅ  Ｃｏｎｔｒｏｌ）フィールド、及び／またはＱｏＳ制御フィールド（ＱｏＳ  Ｃｏｎｔｒｏｌ）などを含む。
【００３１】
このうち、フレーム制御フィールドは、プロトコルバージョンフィールド（Ｐｒｏｔｏｃｏｌ  Ｖｅｒｓｉｏｎ）、フレームの機能を識別するためのタイプ及びサブタイプフィールド（Ｔｙｐｅ  ａｎｄ  Ｓｕｂｔｙｐｅ）、後続する現在のＭＳＤＵやＭＭＰＤＵの追加フラグメントが存在するかを指示するための追加フラグメントフィールド（Ｍｏｒｅ  Ｆｒａｇｍｅｎｔｓ）、再送信されるフレームであるかを指示するためのリトライフィールド（Ｒｅｔｒｙ）、電源節約モードで動作するかを指示するための電源管理フィールド（Ｐｏｗｅｒ  Ｍａｎａｇｅｍｅｎｔ）などを含む。フレーム制御フィールドの電源管理フィールドは、一連のフレーム交換を成功的に完了した以後にＳＴＡが動作するモードを指示する。例えば、電源管理フィールドが‘０’に設定される場合、前記フレームの送信ＳＴＡは、アィテォブモード（Ａｃｔｉｖｅ  Ｍｏｄｅ）で動作することを表すが、前記電源管理フィールドが‘１’に設定される場合、送信ＳＴＡは、ピア電源節約モードで動作することを表す。
【００３２】
ＱｏＳ制御フィールドは、フレームの属するトラフィックカテゴリ（Ｔｒａｆｆｉｃ  Ｃａｔｅｇｏｒｙ、ＴＣ）またはトラフィックストリーム（Ｔｒａｆｆｉｃ  Ｓｔｒｅａｍ、ＴＳ）、及びフレームタイプとサブタイプとに応じて変えられるフレームに対する多様なサービス品質関連情報を識別するためのものである。このようなＱｏＳ制御フィールドは、フレームのサブタイプフィールドのＱｏＳサブフィールドが‘１’に設定されている全てのＴＤＬＳフレームに存在することができる。各ＱｏＳ制御フィールドは、５個のサブフィールドを含み、これらのサブフィールドの使用例及び多様な可能なレイアウトは、表１に示されている。
【００３３】
【表１】
2010539844.tif 000003
図１を参照すると、ＬＬＣ／ＳＮＡＰフィールドは、ＬＬＣ／ＳＮＡＰヘッダを含む。また、リモートフレーム類型フィールドは、ＴＤＬＳフレームを指示する値（例えば、‘２’）に設定される。プロトコルバージョンフィールドは、送／受信メッセージのプロトコルバージョンを指示するための値に設定されることができる。
【００３４】
ＴＤＬＳパケット類型フィールドは、ＴＤＬＳフレームの類型を特定するための値に設定される。ＴＤＬＳフレームの類型及びこれに該当する値の一例は、図２に示されている。図２を参照すると、ＴＤＬＳフレームには、ＴＤＬＳ設定要求フレーム（ＴＤＬＳ  Ｓｅｔｕｐ  Ｒｅｑｕｅｓｔ）、ＴＤＬＳ設定応答フレーム（ＴＤＬＳ  Ｓｅｔｕｐ  Ｒｅｓｐｏｎｓｅ）、ＴＤＬＳ設定確認フレーム（ＴＤＬＳ  Ｓｅｔｕｐ  Ｃｏｎｆｉｒｍ）、ＴＤＬＳ解除要求フレーム（ＴＤＬＳ  Ｔｅａｒｄｏｗｎ  Ｒｅｑｕｅｓｔ）、ＴＤＬＳ解除応答フレーム（ＴＤＬＳ  Ｔｅａｒｄｏｗｎ  Ｒｅｓｐｏｎｓｅ）などが含まれる。
【００３５】
ＴＤＬＳフレームの情報フィールド（Ｉｎｆｏｒｍａｔｉｏｎ）には各ＴＤＬＳフレームの類型に応じて、個別的に特定される多様な情報が含まれ、含まれる情報は、各ＴＤＬＳ類型に応じて差がある。また、エラー訂正（ＣＦＣ）フィールドには該当フレームのエラー訂正のための付加情報が含まれる。
【００３６】
次に、本発明の実施例に係るＴＤＬＳ無線ネットワークにおけるダイレクトリンク設定手順に関して説明する。
【００３７】
ＴＤＬＳ無線ネットワークにおけるダイレクトリンク設定手順として、ＱＢＳＳにおけるダイレクトリンク設定手順を同一に適用することを考慮してみることができる。ＱＢＳＳにおけるダイレクトリンク設定手順は、二つのＱＳＴＡ間で１回のメッセージ交換（Ｔｗｏ−ｗａｙ  ｈａｎｄｓｈａｋｅ）によってダイレクトリンク設定手順が完了される。
【００３８】
図３は、ＱＢＳＳにおけるダイレクトリンク設定手順を示すメッセージシーケンスチャートである。図３を参照すると、まず、ダイレクトリンクを設定しようとする第１のＱＳＴＡ（ＱＳＴＡ１）は、第２のＱＳＴＡ（ＱＳＴＡ２）に対するダイレクトリンク設定要求メッセージ（ＤＬＳ  Ｓｅｔｕｐ  Ｒｅｑｕｅｓｔ）をＱＡＰに送信する（Ｓ１１）。また、受信されたメッセージが第２のＱＳＴＡに対するダイレクトリンク設定要求メッセージであることを確認したＱＡＰは、第１のＱＳＴＡからのダイレクトリンク設定要求メッセージを第２のＱＳＴＡに送信する（Ｓ１２）。なお、第２のＱＳＴＡは、受信されたダイレクトリンク設定要求メッセージに対する応答メッセージ、例えば、ダイレクトリンク設定応答メッセージ（ＤＬＳ  Ｓｅｔｕｐ  Ｒｅｓｐｏｎｓｅ）をＱＡＰに送信する（Ｓ１３）。また、受信されたメッセージがステップＳ１１における要求メッセージに対する応答メッセージであることを確認したＱＡＰは、第２のＱＳＴＡからのダイレクトリンク設定応答メッセージを第１のＱＳＴＡに送信する（Ｓ１４）。
【００３９】
図３におけるダイレクトリンク設定手順によると、ＱＡＰが直接関与して第１のＱＳＴＡと第２のＱＳＴＡとの間でダイレクトリンク設定要求／応答メッセージの交換を中継することによって、ダイレクトリンク設定手順が完了される。ＱＢＳＳではこのような１回のメッセージの交換を介してもダイレクトリンク設定手順の信頼性及び一貫性を保障することができる。なぜなら、ＤＬＳ手順をサポートするＱＡＰは、第１のＱＳＴＡと第２のＱＳＴＡとの間でダイレクトリンク設定のためのメッセージの交換を確実に保障したり、または、メッセージの交換が失敗する場合、そのような事実を第１のＱＳＴＡ及び／または第２のＱＳＴＡに知らせたり、主導的にダイレクトリンク設定手順を終了することができるためである。
【００４０】
より具体的に、ＱＢＳＳにおけるダイレクトリンク設定手順では図３のダイレクトリンク設定手順（Ｓ１１ないしＳ１４）に問題がある場合、ＱＡＰの開始動作（ＱＡＰ−ｉｎｉｔｉａｔｅｄ  Ｏｐｅｒａｔｉｏｎ）が可能である。例えば、ステップＳ１２における送信が失敗した場合、ＱＡＰは、ダイレクトリンク設定要求メッセージを再び第２のＱＳＴＡに送信したり、または、第１のＱＳＴＡにダイレクトリンク解除要求メッセージ（例えば、ＤＬＳ  Ｔｅａｒｄｏｗｎ  Ｒｅｑｕｅｓｔ）を送信することができる。または、ステップＳ１３における送信が失敗した場合、ＱＡＰは、第１のＱＳＴＡ及び第２のＱＳＴＡにダイレクトリンク解除要求メッセージを送信することができる。または、ステップＳ１４における送信が失敗した場合、ＱＡＰは、第２のＱＳＴＡからのダイレクトリンク設定応答メッセージを再び送信することができる。
【００４１】
従って、ＱＢＳＳでは第１のＱＳＴＡと第２のＱＳＴＡとの間にダイレクトリンク設定要求メッセージ及びダイレクトリンク設定応答メッセージの交換（即ち、Ｔｗｏ−ｗａｙ  Ｈａｎｄｓｈａｋｅ）だけでも、第１のＱＳＴＡと第２のＱＳＴＡとの間に信頼性あるダイレクトリンク設定手順が可能である。
【００４２】
図４は、図３のダイレクトリンク設定手順（即ち、Ｔｗｏ−ｗａｙ  Ｈａｎｄｓｈａｋｅ手順）をそのままＴＤＬＳ無線ネットワークに適用する場合のダイレクトリンク設定手順を示すメッセージシーケンスチャートである。ＴＤＬＳ無線ネットワークシステムは、少なくとも二つのＮｏｎ−ＡＰ  ＱＳＴＡ（ＱＳＴＡ１及びＱＳＴＡ２）とＱｏＳをサポートしないレガシＡＰとを含む。以下、説明の便宜のために、ダイレクトリンク設定手順を開始する、即ち、ＴＤＬＳ設定要求フレームを送信するｎｏｎ−ＡＰ  ＱＳＴＡを開始（ｉｎｉｔｉａｔｉｎｇ）ＱＳＴＡまたはＴＤＬＳイニシエータ（ｉｎｉｔｉａｔｏｒ）といい、ＴＤＬＳイニシエータ及びダイレクトリンク設定手順に関連付けたり、またはダイレクトリンクを設定しているｎｏｎ−ＡＰ  ＱＳＴＡをピアＳＴＡという。
【００４３】
図４を参照すると、ピアＳＴＡである第２のＱＳＴＡ（ＱＳＴＡ２）及びダイレクトリンクを設定しようとするＴＤＬＳイニシエータである第１のＱＳＴＡ（ＱＳＴＡ１）は、ダイレクトリンクの設定を要求するための要求メッセージを第２のＱＳＴＡに送信する（Ｓ２１）。前記要求メッセージは、ＴＤＬＳ設定要求フレームであってもよい。また、ＡＰは、第１のＱＳＴＡから受信される要求メッセージを第２のＱＳＴＡに単に中継のみする。また、ＴＤＬＳ設定要求フレームを受信した第２のＱＳＴＡは、これに応えて応答メッセージを第１のＱＳＴＡに送信する（Ｓ２２）。前記応答メッセージは、ＴＤＬＳ設定応答フレームであってもよい。また、この場合にも、ＡＰは、第２のＱＳＴＡから受信される応答メッセージを第１のＱＳＴＡに単に中継のみする。
【００４４】
このようなＴＤＬＳ無線ネットワークのダイレクトリンク設定手順ではＡＰの開始動作（ＡＰ−ｉｎｉｔｉａｔｅｄ  Ｏｐｅｒａｔｉｏｎ）は不可である。即ち、前記ステップＳ２１及び／またはステップＳ２２における送信（ＡＰにおける中継を含む）が失敗する場合としても、ＡＰが主導的に送信が失敗したフレームを再び送信することができない、またはダイレクトリンク解除要求フレームをｎｏｎ−ＡＰ  ＱＳＴＡに送信することができない。
【００４５】
このような図４に示すようなダイレクトリンク設定手順によると、ステップＳ２２で送信される応答メッセージがＡＰから第１のＱＳＴＡに成功的にリレイされない場合には、ダイレクトリンク設定手順の完了如何に対する第１のＱＳＴＡ及び第２のＱＳＴＡの認識に不一致が生じることができる。より具体的に、応答メッセージが受信されない第１のＱＳＴＡは、ダイレクトリンクが成功的に設定されていないと認識するが、応答メッセージが送信された第２のＱＳＴＡは、ダイレクトリンクが成功的に設定されていると認識することができる。その結果、図４に示すようなＴｗｏ−ｗａｙ  Ｈａｎｄｓｈａｋｅダイレクトリンク設定手順は、ＴＤＬＳ無線ネットワークに適用する場合には手順の信頼性を確保するのが難しい。
【００４６】
本発明の第１の実施例は、このようなＴｗｏ−ｗａｙ  Ｈａｎｄｓｈａｋｅダイレクトリンク設定手順で生じる可能性がある問題点を解決するために、Ｔｈｒｅｅ−ｗａｙ  Ｈａｎｄｓｈａｋｅダイレクトリンク設定手順を適用する。より具体的に、前述したＴｗｏ−ｗａｙ  Ｈａｎｄｓｈａｋｅ手順に追加して、ＴＤＬＳイニシエータがピアＳＴＡにＴＤＬＳ設定応答フレームの受信を知らせる確認メッセージ、例えば、ＴＤＬＳ設定確認フレーム（ＴＤＬＳ  Ｓｅｔｕｐ  Ｃｏｎｆｉｒｍ）を送信する過程をさらに含む。以下、これを詳細に説明する。
【００４７】
図５は、本発明の第１の実施例に係るＴＤＬＳ無線ネットワークにおけるダイレクトリンク設定手順を示すメッセージシーケンスチャートである。ＴＤＬＳ無線ネットワークシステムは、少なくとも二つのｎｏｎ−ＡＰ  ＱＳＴＡ（以下、単純に‘ＱＳＴＡ’という）とＱｏＳをサポートしないレガシＡＰとを含む。
【００４８】
図５を参照すると、ピアＳＴＡである第２のＱＳＴＡ（ＱＳＴＡ２）及びダイレクトリンクを設定しようとする第１のＱＳＴＡ（ＱＳＴＡ１）、即ち、ＴＤＬＳイニシエータは、ダイレクトリンクの設定を要求するための要求メッセージ、例えば、ＴＤＬＳ設定要求フレームをＡＰを経由して第２のＱＳＴＡに送信する（Ｓ４１）。本段階において、ＡＰは、ＴＤＬＳ設定要求フレームを単に中継のみする。ＴＤＬＳ設定要求フレームは、図１のＴＤＬＳフレームのＴＤＬＳパケット類型フィールドが、ＴＤＬＳ設定要求（ＴＤＬＳ  Ｓｅｔｕｐ  Ｒｅｑｕｅｓｔ）を指示する値に設定されたフレームであってもよい。従って、ステップＳ４１において、ＴＤＬＳ設定要求がデータフレームの形態でエンカプセレーションされてＡＰを介して第２のＱＳＴＡに送信される。
【００４９】
図６は、ＴＤＬＳ設定要求フレームの情報フィールド（図１のＴＤＬＳフレームの情報フィールド）に含まれる情報を示す。図６を参照すると、ＴＤＬＳ設定要求フレームの情報フィールドは、リンク識別子情報（Ｌｉｎｋ  ＩＤ）、結合要求フレームボディー情報（Ａｓｓｏｃｉａｔｉｏｎ  Ｒｅｑｕｅｓｔ  Ｆｒａｍｅ  Ｂｏｄｙ）、ダイアローグトークン情報（Ｄｉａｌｏｇ  ｔｏｋｅｎ）などを含む。また、図６に示されていないが、ＴＤＬＳ設定要求フレームの情報フィールドは、能力値情報（Ｃａｐａｂｉｌｉｔｉｅｓ）または拡張能力値情報（Ｅｘｔｅｎｄｅｄ  Ｃａｐａｂｉｌｉｔｉｅｓ  Ｉｎｆｏｒｍａｔｉｏｎ）をさらに含まってもよい。
【００５０】
ＴＤＬＳ設定要求フレームに含まれた前記能力値情報は、ＱｏＳ能力値（ＱｏＳ  Ｃａｐａｂｉｌｉｔｙ）情報及び／またはＨＴ能力値（Ｈｉｇｈ  Ｔｈｒｏｕｇｈｐｕｔ  Ｃａｐａｂｉｌｉｔｙ）情報で構成される。もし、第１のＱＳＴＡ（ＱＴＳＡ１）がＱｏＳ機能（Ｆｅａｔｕｒｅ）をサポートするならば、ＴＤＬＳ設定要求フレームに対するＱｏＳ能力値を含む。また、もし、前記第１のＱＳＴＡ（ＱＴＳＡ１）がＨＴ機能をサポートするならば、それは前記ＴＤＬＳ設定要求フレームに対するＨＴ能力値を含む。
【００５１】
本実施例の一側面によると、前記リンク識別子情報は、ＢＳＳＩＤ及び／またはＳＳＩＤを含まってもよい。ＴＤＬＳ無線ネットワークにおいて、一部のＡＰは、複数のＢＳＳＩＤ及び複数のＳＳＩＤをサポートすることができる。このような場合、前記ＡＰに結合しているｎｏｎ−ＡＰ  ＱＳＴＡ間でダイレクトリンクを設定するためには、ダイレクトリンク設定手順で交換するメッセージ（例えば、ＴＤＬＳ設定要求フレーム、ＴＤＬＳ設定応答フレーム、及び／またはＴＤＬＳ設定確認フレーム）にダイレクトリンクが設定される特定ＢＳＳＩＤ及び特定ＳＳＩＤを指示することが必要である。
【００５２】
図７は、ＴＤＬＳ設定要求フレームに含まれるリンク識別子フィールドのフォーマットに対する一例を示すブロック図である。図７を参照すると、リンク識別子フィールドは、トランスミッタ住所（Ｔｒａｎｓｍｉｔｔｅｒ  Ａｄｄｒｅｓｓ）サブフィールド及びレジーバ住所（Ｒｅｃｅｉｖｅｒ  Ａｄｄｒｅｓｓ）サブフィールド、ＤＬＳタイムアウト（ｔｉｍｅｏｕｔ）サブフィールドの外にＢＳＳＩＤサブフィールド及びＳＳＩＤサブフィールドを追加に含む。
【００５３】
また、図５を参照すると、ＴＤＬＳ設定要求フレームを受信した第２のＱＳＴＡは、これに応えて応答メッセージ、例えば、ＴＤＬＳ設定応答フレームをやはりＡＰを介して第１のＱＳＴＡに送信する（Ｓ４２）。本段階において、ＡＰは、ＴＤＬＳ設定応答フレームを単に中継のみする。この場合、ＴＤＬＳ設定応答フレームは、図１のＴＤＬＳフレームのＴＤＬＳパケット類型フィールドが、ＴＤＬＳ設定応答（ＴＤＬＳ  Ｓｅｔｕｐ  Ｒｅｓｐｏｎｓｅ）を指示する値に設定されたフレームであってもよい。従って、ＴＤＬＳ設定応答（ＴＤＬＳ  Ｓｅｔｕｐ  Ｒｅｓｐｏｎｓｅ）フレームは、データフレームの形態でエンカプセレーションされてＡＰを介して第１のＱＳＴＡに送信される。
【００５４】
図８は、ＴＤＬＳ設定応答フレームの情報フィールド（図１のＴＤＬＳフレームの情報フィールド）に含まれる情報を示す。図８を参照すると、ＴＤＬＳ設定応答フレームの情報フィールドは、リンク識別子情報（Ｌｉｎｋ  Ｉｄｅｎｔｉｆｉｅｒ）、状態コード情報（Ｓｔａｔｕｓ  Ｃｏｄｅ）、結合要求フレームボディー情報（Ａｓｓｏｃｉａｔｉｏｎ  Ｒｅｑｕｅｓｔ  Ｆｒａｍｅ  Ｂｏｄｙ）、ダイアローグトークン情報（Ｄｉａｌｏｇ  ｔｏｋｅｎ）などを含む。この場合、前記リンク識別子情報の一例は、図７に示されたフォーマットを有することができるが、これは例示に過ぎない。また、ＴＤＬＳ設定応答フレームの情報フィールドは、ＴＤＬＳ設定応答フレームの情報フィールドと同様に、これを送信するＳＴＡがピアＰＳＭ  ＡＰモード及び／またはピアＰＳＭ  Ｃｌｉｅｎｔモードをサポートするかを指示するための能力値情報要素及び拡張能力値情報要素をさらに含まってもよい。
【００５５】
ＴＤＬＳ設定応答フレームに含まれた前記能力値情報は、ＱｏＳ能力値情報及び／またはＨＴ能力値情報で構成される。もし、第２のＱＳＴＡ（ＱＳＴＡ２）がＱｏＳ機能をサポートするならば、前記ＴＤＬＳ設定応答フレームに対するＱｏＳ能力値を含む。また、第２のＱＳＴＡ（ＱＳＴＡ２）がＨＴ機能をサポートするならば、前記ＴＤＬＳ設定応答フレームに対するＨＴ能力値を含む。
【００５６】
また、図５を参照すると、第１のＱＳＴＡは、受信されたＴＤＬＳ設定応答フレームに対する確認メッセージ、例えば、ＴＤＬＳ設定確認フレーム（ＴＤＬＳ  Ｓｅｔｕｐ  Ｃｏｎｆｉｒｍ）をＡＰを経由して第２のＱＳＴＡに送信する（Ｓ４３）。本段階においても、ＡＰは、ＴＤＬＳ設定確認フレームを単に中継のみする。ＴＤＬＳ設定確認フレームは、図１のＴＤＬＳフレームのＴＤＬＳパケット類型フィールドが、ＴＤＬＳ設定確認（ＴＤＬＳ  Ｓｅｔｕｐ  Ｃｏｎｆｉｒｍ）を指示する値に設定されるフレームであってもよい。また、このようなＴＤＬＳ設定確認フレームは、データフレームの形態でエンカプセレーションされてＡＰを介して第２のＱＳＴＡに送信される。
【００５７】
本発明の実施例によると、ダイレクトリンクの設定を要求した第１のＱＳＴＡが第２のＱＳＴＡから受信された応答メッセージに対して、その受信を知らせる確認メッセージを第２のＱＳＴＡに送信した後にダイレクトリンク設定手順が完了される。従って、データフレームの形態でエンカプセレーションされて送信される管理作用フレーム（例えば、ＴＤＬＳ設定応答フレーム）がＡＰで送信失敗しても、ダイレクトリンク設定手順の完了如何に対する第１のＱＳＴＡ及び第２のＱＳＴＡの認識に不一致が生じることを防止することができる。
【００５８】
また、前記実施例の一側面によると、たとえ、前記ＡＰがＱｏＳ機能をサポートしないとしても、ステップＳ４３で送信される前記確認メッセージにはｎｏｎ−ＡＰ  ＱＳＴＡにＱｏＳ能力（ｆａｃｉｌｉｔｙ）及び／またはＨＴ能力の適切な動作のために必要な情報が含まれることができる。ＱｏＳ能力の適切な動作のために必要な情報は、例えば、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット情報要素（Ｐａｒａｍｅｔｅｒ  Ｓｅｔ  Ｉｎｆｏｒｍａｔｉｏｎ  Ｅｌｅｍｅｎｔ）であってもよい。この場合、前記ＥＤＣＡパラメータセット情報要素は、主チャネル（Ｐｒｉｍａｒｙ  Ｃｈａｎｎｅｌ）及び／または副チャネル（Ｓｅｃｏｎｄａｒｙ  Ｃｈａｎｎｅｌ）で使われるＱｏＳパラメータを含む。また、必要な場合、ステップＳ４２で送信される前記応答フレーム（例えば、ＴＤＬＳ設定応答フレーム）にも、ｎｏｎ−ＡＰ  ＱＳＴＡにＱｏＳ能力の適切な動作のために必要な情報が含まれることもできる。
【００５９】
図９は、前記ＥＤＣＡパラメータセット情報要素のフォーマットの一例を示すブロック図である。図９を参照すると、ＥＤＣＡパラメータセット情報要素は、要素ＩＤ（Ｅｌｅｍｅｎｔ  ＩＤ）フィールド、長さ（Ｌｅｎｇｔｈ）フィールド、ＱｏＳ情報フィールド、及びアクセスカテゴリ（Ａｃｃｅｓｓ  Ｃａｔｅｇｏｒｙ）別パラメータレコードフィールド（ＡＣ＿ＢＥ  Ｐａｒａｍｅｔｅｒ  Ｒｅｃｏｒｄ、ＡＣ＿ＢＫ  Ｐａｒａｍｅｔｅｒ  Ｒｅｃｏｒｄ、ＡＣ＿ＶＩ  Ｐａｒａｍｅｔｅｒ  Ｒｅｃｏｒｄ、ＡＣ＿ＶＯ  Ｐａｒａｍｅｔｅｒ  Ｒｅｃｏｒｄ）を含む。要素ＩＤフィールドは、該当要素がＥＤＣＡパラメータセット情報要素であることを指示する値に設定される。長さフィールドは、該当要素の長さを示す値に設定される。ＱｏＳ情報フィールドは、これを送信するＳＴＡのＱｏＳ能力値情報を表すための複数のビットフィールドを含む。
【００６０】
各アクセスカテゴリ別パラメータレコードフィールドのフォーマットは、お互いに同一であってもよく、そのフォーマットに対する一例は、図１０に示されている。図１０を参照すると、ＡＣ＿ＢＥ  Ｐａｒａｍｅｔｅｒ  Ｒｅｃｏｒｄフィールド、ＡＣ＿ＢＫ  Ｐａｒａｍｅｔｅｒ  Ｒｅｃｏｒｄフィールド、ＡＣ＿ＶＩ  Ｐａｒａｍｅｔｅｒ  Ｒｅｃｏｒｄフィールド、またはＡＣ＿ＶＯ  Ｐａｒａｍｅｔｅｒ  Ｒｅｃｏｒｄフィールドは、ＡＣＩ／ＡＩＦＳＮ（Ａｃｃｅｓｓ  Ｃａｔｅｇｏｒｙ  Ｉｎｄｅｘ／Ａｒｂｉｔｒａｔｉｏｎ  ＩｎｔｅｒＦｒａｍｅ  Ｓｐａｃｅ  Ｎｕｍｂｅｒ）サブフィールド、ＥＣＷｍｉｎ／ＥＣＷｍａｘサブフィールド、及びＴＸＯＰ  ｌｉｍｉｔサブフィールドを含む。また、ＡＣＩ／ＡＩＦＳＮサブフィールドは、ＡＩＦＳＮビットフィールド、ＡＣＭ（Ａｄｍｉｓｓｉｏｎ  Ｃｏｎｔｒｏｌ  Ｍａｎｄａｔｏｒｙ）ビットフィールド、及びＡＣＩビットフィールドを含む。本実施例によると、前記ＡＣＭビットフィールドは、‘０’に設定されることができ、これは該当アクセスカテゴリに対して入場制御（Ａｄｍｉｓｓｉｏｎ  Ｃｏｎｔｒｏｌ）がないということを表す。
【００６１】
このような本発明の実施例によると、第１のＱＳＴＡは、ＥＤＣＡパラメータセット情報要素を用いてＱｏＳパラメータをピアＳＴＡである第２のＱＳＴＡに知らせることができる。従って、第１のＱＳＴＡ及び第２のＱＳＴＡは、設定されたダイレクトリンクを用いてデータを交換する場合、ＱｏＳパラメータを参照してサービス品質をサポートする通信が可能である。
【００６２】
前記実施例の他の側面によると、ステップＳ４３で送信される前記確認フレームには複数のサブチャネルの效率的な利用に必要な情報が追加に含まれてもよい。複数（例えば、二つ）のサブチャネルの效率的な利用に必要な情報は、例えば、ＩＥＥＥ８０２．１１ｎ標準で規定されているＨＴ作動情報要素（ＨＴ  Ｏｐｅｒａｔｉｏｎ  Ｉｎｆｏｒｍａｔｉｏｎ  Ｅｌｅｍｅｎｔｓ）であってもよい。ＨＴ作動情報要素は、ＡＰがＨＴ機能をサポートしないにもかかわらず、ｎｏｎ−ＡＰ  ＱＳＴＡのＨＴ能力値を可能にするためのパラメータ（例えば、副チャネルオフセットパラメータ（Ｓｅｃｏｎｄａｒｙ  Ｃｈａｎｎｅｌ  Ｏｆｆｓｅｔ  Ｐａｒａｍｅｔｅｒ）等）を含む。然しながら、本発明の実施例が二つのサブチャネルにのみ限定されることではなく、３個またはその以上のサブチャネルを用いる無線ＬＡＮシステムにも同様に適用されてもよい。この場合、ステップＳ４２で送信される前記応答フレーム（例えば、ＴＤＬＳ設定応答フレーム）にも、複数のサブチャネルの效率的な利用に必要な情報が含まれてもよい。
【００６３】
このような本発明の実施例によると、ダイレクトリンクを設定しようとするｎｏｎ−ＡＰ  ＱＳＴＡは、主サブチャネルの以外にも副サブチャネルに関する情報をピアｎｏｎ−ＡＰ  ＱＳＴＡに提供することができる。従って、ＴＤＬＳ無線ネットワークにおいて、ダイレクトリンクを設定したｎｏｎ−ＡＰ  ＱＳＴＡは、設定されたダイレクトリンクを介する通信で主サブチャネルの以外に副サブチャネルを共に用いたり、または、副サブチャネルのみを用いることができ、その結果、無線リソース（Ｒａｄｉｏ  Ｒｅｓｏｕｒｃｅ）の利用効率を上げることができる。
【００６４】
図１１は、図５のダイレクトリンク設定手順に対するタイミングダイアグラムの一例である。図１１を参照すると、第１のＱＳＴＡがデータフレームの形態でエンカプセレーションされたＴＤＬＳ設定要求フレームをＡＰに送信して（Ｓ５１）、ＡＰは、受信されたＴＤＬＳ設定要求フレームを第２のＱＳＴＡに送信する（Ｓ５２）。前記ステップＳ５１及びステップＳ５２は、図５のステップＳ４１に対応される。
【００６５】
また、第２のＱＳＴＡは、データフレームの形態でエンカプセレーションされたＴＤＬＳ設定応答フレームをＡＰに送信する場合（Ｓ５３）、ＡＰは、受信されたＴＤＬＳ設定応答フレームを第１のＱＳＴＡに送信しようと試みる（Ｓ５４）。然しながら、図１１の例では、ステップＳ５４において、ＡＰが伝達しようとするＴＤＬＳ設定応答フレームは、第１のＱＳＴＡに成功的に送信されない。このような場合、Ｔｈｒｅｅ−ｗａｙ  Ｈａｎｄｓｈａｋｅ手順を用いる本発明の第１の実施例によると、所定の時間中、第１のＱＳＴＡから確認フレーム、例えば、ＴＤＬＳ設定確認フレームが受信されない第２のＱＳＴＡは、ダイレクトリンク設定手順が成功的に完了されていないと認識するようになる。この場合、第２のＱＳＴＡは、自分の送信したＴＤＬＳ設定応答フレームが第１のＱＳＴＡに成功的に送信されていないと判断して、該当ＴＤＬＳ設定応答フレームを再びＡＰに送信する（Ｓ５５）。このようなＴＤＬＳ設定応答フレームの再送信は、第２のＱＳＴＡが予め設定された時間（例えば、図１０において‘ＴＩＭＥＯＵＴ’と表示された期間）中にＴＤＬＳ設定確認フレームが受信されない場合には反復的に実行されることもできる。また、ＡＰは、再送信されたＴＤＬＳ設定応答フレームを再び第１のＱＳＴＡに送信する（Ｓ５６）。このようなステップＳ５３ないしＳ５６は、図５のステップＳ４２に対応される。
【００６６】
また、ＴＤＬＳ設定応答フレームを受信した第１のＱＳＴＡは、確認フレーム、例えば、ＴＤＬＳ設定確認フレームをＡＰに送信する（Ｓ５７）。また、ＡＰは、受信されたＴＤＬＳ設定確認フレームを第２のＱＳＴＡに送信する（Ｓ５８）。このようなステップＳ５７及びＳ５８は、図５のステップＳ４３に対応され、このようなＴＤＬＳ設定確認フレームの成功的な送信によって、ＴＤＬＳ無線ネットワークにおけるダイレクトリンク設定手順は終了される。前述したように、本実施例によると、ＴＤＬＳ設定確認フレームにはＥＤＣＡパラメータセット情報要素がさらに含まれて、ＨＴ作動情報要素（例えば、副チャネルオフセット要素）がさらに含まれてもよい。
【００６７】
図１２は、本発明の第２実施例に係るＴＤＬＳ無線ネットワークにおけるダイレクトリンク設定手順を示すメッセージシーケンスチャートである。本実施例は、前述した第１の実施例に係るＴｈｒｅｅ−ｗａｙ  Ｈａｎｄｓｈａｋｅに追加して第２のＱＳＴＡが第１のＱＳＴＡに承認メッセージ、例えば、ＴＤＬＳ承認（Ａｃｋｎｏｗｌｅｄｇｅｍｅｎｔ）フレームを送信する段階をさらに含むＦｏｕｒ−ｗａｙ  Ｈａｎｄｓｈａｋｅという点で、第１の実施例と差がある。以下、第１の実施例との相違点のみを中心にして簡略に説明する。
【００６８】
図１２を参照すると、第２のＱＳＴＡ及びダイレクトリンクを設定しようとする第１のＱＳＴＡは、ダイレクトリンクの設定を要求するためのメッセージ、例えば、ＴＤＬＳ設定要求フレームをＡＰを経由して第２のＱＳＴＡに送信する（Ｓ６１）。また、ＴＤＬＳ設定要求フレームを受信した第２のＱＳＴＡは、これに応えてＴＤＬＳ設定応答フレームをやはりＡＰを介して第１のＱＳＴＡに送信する（Ｓ６２）。また、第１のＱＳＴＡは、受信されたＴＤＬＳ設定応答フレームに対する確認メッセージ、例えば、ＴＤＬＳ設定確認フレームをＡＰを経由して第２のＱＳＴＡに送信する（Ｓ６３）。また、第２のＱＳＴＡは、受信されたＴＤＬＳ設定確認フレームに応えて、承認メッセージ、例えば、ＴＤＬＳ承認フレームをＡＰを介して第１のＱＳＴＡに送信する（Ｓ６４）。このような本発明の実施例ではダイレクトリンク設定のために、前述した第１の実施例にステップＳ６４を追加に実行することによって、ダイレクトリンク設定手順の信頼性を一層向上させることができる。
【００６９】
以上、詳細に説明した本発明の実施例は、単に本発明の技術思想を示すための例示に過ぎず、前記実施例によって本発明の技術思想が限定されると解釈されてはならない。本発明の保護範囲は、本発明の特許請求の範囲によって特定される。
【００７０】
本発明は、無線通信技術と関連付けられているネットワーキング、通信プロトコル及び無線通信システムの通信手順と関係があり、無線通信システムの構成及び無線通信システムを構成するステーション（無線ステーション及び基地局を含む）または装置の製造に適用されることができる。特に、本発明は、ＴＤＬＳ無線ネットワークにおいてダイレクトリンク設定手順に適用されることができる。
【図１】
2010539844.tif 000004
【図２】
2010539844.tif 000005
【図３】
2010539844.tif 000006
【図４】
2010539844.tif 000007
【図５】
2010539844.tif 000008
【図６】
2010539844.tif 000009
【図７】
2010539844.tif 000010
【図８】
2010539844.tif 000011
【図９】
2010539844.tif 000012
【図１０】
2010539844.tif 000013
【図１１】
2010539844.tif 000014
【図１２】
2010539844.tif 000015
【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
Ｔｕｎｎｅｌｅｄ  Ｄｉｒｅｃｔ  Ｌｉｎｋ  Ｓｅｔｕｐ（ＴＤＬＳ）イニシエータのためのＴＤＬＳ確立手順であって、前記手順は、
意図されたピアステーションとのダイレクトリンクを確立するために、前記ＴＤＬＳイニシエータが、アクセスポイント（ＡＰ）を経由して前記意図されたピアステーションにＴＤＬＳ設定要求フレームを送信することと、
前記ＴＤＬＳイニシエータが、前記ＴＤＬＳ設定要求フレームに応答して、前記意図されたピアステーションから、前記ＡＰを経由してＴＤＬＳ設定応答フレームを受信することと、
前記ＴＤＬＳイニシエータが、前記ＴＤＬＳ設定応答フレームに応答して、前記ＡＰを経由して前記意図されたピアステーションにＴＤＬＳ設定確認フレームを送信することと
を含む、ＴＤＬＳ確立手順。
【請求項２】
前記ＴＤＬＳ設定確認フレームは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット情報要素を含み、前記ＥＤＣＡパラメータセット情報要素は、前記ＡＰがＱｏＳ（Ｑｕａｌｉｔｙ  ｏｆ  Ｓｅｒｖｉｃｅ）をサポートしないときに、前記ＴＤＬＳイニシエータと前記意図されたピアステーションとによって使用されるＱｏＳパラメータを含む、請求項１に記載のＴＤＬＳ確立手順。
【請求項３】
前記ＴＤＬＳ設定要求フレーム及び前記ＴＤＬＳ設定応答フレームの両方が、ＱｏＳ能力情報要素を含む、請求項２に記載のＴＤＬＳ確立手順。
【請求項４】
前記ＴＤＬＳ設定確認フレームは、ＨＴ（Ｈｉｇｈ  Ｔｈｒｏｕｇｈｐｕｔ）作動情報要素を含む、請求項１に記載のＴＤＬＳ確立手順。
【請求項５】
前記ＴＤＬＳ設定要求フレーム及び前記ＴＤＬＳ設定応答フレームの両方が、ＨＴ能力情報要素を含む、請求項４に記載のＴＤＬＳ確立手順。
【請求項６】
前記ＨＴ作動情報要素は、副チャネルオフセット要素を含む、請求項４に記載のＴＤＬＳ確立手順。
【請求項７】
前記ＴＤＬＳイニシエータ及び前記意図されたピアステーションは、前記同じＡＰに関連付けられる、請求項１に記載のＴＤＬＳ確立手順。
【請求項８】
無線ＬＡＮにおいてＴｕｎｎｅｌｅｄ  Ｄｉｒｅｃｔ  Ｌｉｎｋ  Ｓｅｔｕｐ（ＴＤＬＳ）をサポートするステーションであって、前記ステーションは、
フレームを生成し、処理するように構成されたプロセッサと、
前記プロセッサと作動可能に連結されて、前記プロセッサのために前記フレームを送信及び受信するように構成された送受信機と
を含み、
前記送受信機は、
意図されたピアステーションとのダイレクトリンクを確立するために、アクセスポイント（ＡＰ）を経由して前記意図されたピアステーションにＴＤＬＳ設定要求フレームを送信することと、
前記ＴＤＬＳ設定要求フレームに応答して、前記意図されたピアステーションから前記ＡＰを経由してＴＤＬＳ設定応答フレームを受信することと、
前記ＴＤＬＳ設定応答フレームに応答して、前記ＡＰを経由して前記意図されたピアステーションにＴＤＬＳ設定確認フレームを送信することと
を行うように構成されている、ステーション。
【請求項９】
前記ＴＤＬＳ設定確認フレームは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット情報要素を含み、前記ＥＤＣＡパラメータセット情報要素は、前記ＡＰがＱｏＳ（Ｑｕａｌｉｔｙ  ｏｆ  Ｓｅｒｖｉｃｅ）をサポートしないときに、前記意図されたピアステーションによって使用されるＱｏＳパラメータを含む、請求項８に記載のステーション。
【請求項１０】
前記ＴＤＬＳ設定要求フレーム及び前記ＴＤＬＳ設定応答フレームの両方が、ＱｏＳ能力情報要素を含む、請求項９に記載のステーション。
【請求項１１】
前記ＴＤＬＳ設定確認フレームは、ＨＴ（Ｈｉｇｈ  Ｔｈｒｏｕｇｈｐｕｔ）作動情報要素を含む、請求項８に記載のステーション。
【請求項１２】
前記ＴＤＬＳ設定要求フレーム及び前記ＴＤＬＳ設定応答フレームの両方が、ＨＴ能力情報要素を含む、請求項１１に記載のステーション。
【請求項１３】
前記ＨＴ作動情報要素は、副チャネルオフセット要素を含む、請求項１１に記載のステーション。
【手続補正２】
【補正対象書類名】明細書
【補正対象項目名】００１９
【補正方法】変更
【補正の内容】
【００１９】
本発明の他の態様によると、無線ＬＡＮにおけるＴＤＬＳ（Ｔｕｎｎｅｌｅｄ  Ｄｉｒｅｃｔ  Ｌｉｎｋ  Ｓｅｔｕｐ）をサポートするステーションが提供される。前記ステーションは、フレームを生成して処理するプロセッサ、及び前記プロセッサと連結されて、前記プロセッサのために前記フレームを送信及び受信する送受信機を含み、前記ステーションは、ＴＤＬＳイニシエータからＡＰを経由してＴＤＬＳ設定要求フレームを受信して、前記ＴＤＬＳ設定要求フレームに応えて前記ＴＤＬＳイニシエータに前記ＡＰを経由してＴＤＬＳ設定応答フレームを送信して、前記ＴＤＬＳ設定応答フレームに応えて前記ＴＤＬＳイニシエータから前記ＡＰを経由してＴＤＬＳ設定確認フレームを受信する。
例えば、本発明は以下の項目を提供する。
（項目１）
ＴＤＬＳ（Ｔｕｎｎｅｌｅｄ  Ｄｉｒｅｃｔ  Ｌｉｎｋ  Ｓｅｔｕｐ）イニシエータ（Ｉｎｉｔｉａｔｏｒ）のＴＤＬＳ樹立手順において、
対象ピアステーション（Ｐｅｅｒ  Ｓｔａｔｉｏｎ）にＡＰ（Ａｃｃｅｓｓ  Ｐｏｉｎｔ）を経由してＴＤＬＳ設定要求フレーム（ＴＤＬＳ  Ｓｅｔｕｐ  Ｒｅｑｕｅｓｔ  Ｆｒａｍｅ）を送信して、
前記ＴＤＬＳ設定要求フレームに応えて前記対象ピアステーションから前記ＡＰを経由してＴＤＬＳ設定応答フレーム（Ｒｅｓｐｏｎｓｅ  Ｆｒａｍｅ）を受信して、及び
前記ＴＤＬＳ設定応答フレームに応えて前記対象ピアステーションに前記ＡＰを経由してＴＤＬＳ設定確認フレーム（Ｃｏｎｆｉｒｍ  Ｆｒａｍｅ）を送信することを含むＴＤＬＳ樹立手順。
（項目２）
前記ＴＤＬＳ設定確認フレームは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット情報要素（Ｐａｒａｍｅｔｅｒ  Ｓｅｔ  Ｉｎｆｏｒｍａｔｉｏｎ  Ｅｌｅｍｅｎｔ）を含むことを特徴とする項目１に記載のＴＤＬＳ樹立手順。
（項目３）
前記ＴＤＬＳ設定要求フレーム及び前記ＴＤＬＳ設定応答フレームの両方ともＱｏＳ（Ｑｕａｌｉｔｙ  ｏｆ  Ｓｅｒｖｉｃｅ）能力値（Ｃａｐａｂｉｌｉｔｙ）情報要素を含むことを特徴とする項目２に記載のＴＤＬＳ樹立手順。
（項目４）
前記ＴＤＬＳ設定確認フレームは、ＨＴ（Ｈｉｇｈ  Ｔｈｒｏｕｇｈｐｕｔ）作動情報要素（Ｏｐｅｒａｔｉｏｎ  Ｉｎｆｏｒｍａｔｉｏｎ  Ｅｌｅｍｅｎｔ）を含むことを特徴とする項目１に記載のＴＤＬＳ樹立手順。
（項目５）
前記ＴＤＬＳ設定要求フレーム及び前記ＴＤＬＳ設定応答フレームの両方ともＨＴ能力値情報要素を含むことを特徴とする項目４に記載のＴＤＬＳ樹立手順。
（項目６）
前記ＨＴ作動情報要素は、副チャネルオフセット要素（Ｓｅｃｏｎｄａｒｙ  Ｃｈａｎｎｅｌ  Ｏｆｆｓｅｔ  Ｅｌｅｍｅｎｔ）を含むことを特徴とする項目４に記載のＴＤＬＳ樹立手順
（項目７）
前記ＴＤＬＳイニシエータ及び前記対象ピアステーションは、前記同じＡＰに連結されていることを特徴とする項目１に記載のＴＤＬＳ樹立手順。
（項目８）
前記ＴＤＬＳ設定応答フレームは、‘成功（Ｓｕｃｃｅｓｓｆｕｌ）’を指示する値に設定された状態コードフィールド（Ｓｔａｔｕｓ  Ｃｏｄｅ  Ｆｉｅｌｄ）を含むことを特徴とする項目１に記載のＴＤＬＳ樹立手順。
（項目９）
ＴＤＬＳ（Ｔｕｎｎｅｌｅｄ  Ｄｉｒｅｃｔ  Ｌｉｎｋ  Ｓｅｔｕｐ）無線ネットワークにおけるダイレクトリンク（Ｄｉｒｅｃｔ  Ｌｉｎｋ）を設定するための手順において、
前記ダイレクトリンクの樹立手順を指示する第１のステーションは、第２のステーションから受信した前記ＴＤＬＳ設定応答フレームに応えてＡＰを経由して前記第２のステーションにＴＤＬＳ確認フレームを送信して、及び
前記ＴＤＬＳ確認フレームは、ＥＤＣＡ（Ｅｎｈａｎｃｅｄ  Ｄｉｓｔｒｉｂｕｔｅｄ
Ｃｈａｎｎｅｌ  Ａｃｃｅｓｓ）パラメータセット情報要素を含むことを特徴とする手順。
（項目１０）
前記ＥＤＣＡパラメータセット情報要素は、主チャネル及び／または副チャネルに使われるＱｏＳパラメータを含むことを特徴とする項目９に記載の手順。
（項目１１）
ＴＤＬＳ（Ｔｕｎｎｅｌｅｄ  Ｄｉｒｅｃｔ  Ｌｉｎｋ  Ｓｅｔｕｐ）無線ネットワークにおけるダイレクトリンク（Ｄｉｒｅｃｔ  Ｌｉｎｋ）を設定するための手順において、
前記ダイレクトリンクの樹立手順を指示する第１のステーションは、第２のステーションから受信したＴＤＬＳ設定応答フレームに応えてＴＤＬＳ確認フレームをＡＰを経由して前記第２のステーションに送信して、
前記ＴＤＬＳ設定応答フレームは、ＴＤＬＳ設定要求フレームに応えて前記第２のステーションによって前記第１のステーションに送信されて、
前記ＴＤＬＳ確認フレームは、ＨＴ作動情報要素を含むことを特徴とする手順。
（項目１２）
前記ＨＴ動作情報要素は、副チャネルオフセット要素を含むことを特徴とする項目１１に記載の手順。
（項目１３）
ＴＤＬＳ（Ｔｕｎｎｅｌｅｄ  Ｄｉｒｅｃｔ  Ｌｉｎｋ  Ｓｅｔｕｐ）イニシエータの対象ピアステーションに対するＴＤＬＳ樹立手順において、
前記ＴＤＬＳイニシエータからＡＰを経由してＴＤＬＳ設定要求フレームを受信して、
前記ＴＤＬＳ設定要求フレームに応えて前記ＴＤＬＳイニシエータに前記ＡＰを経由してＴＤＬＳ設定応答フレームを送信して、及び
前記ＴＤＬＳ設定応答フレームに応えて前記ＴＤＬＳイニシエータから前記ＡＰを経由してＴＤＬＳ設定確認フレームを受信することを含むＴＤＬＳ樹立手順。
（項目１４）
前記ＴＤＬＳ設定確認フレームは、ＥＤＣＡパラメータセット情報要素を含み、
前記ＥＤＣＡパラメータセット情報要素は、主チャネル及び／または副チャネルで使われるＱｏＳパラメータを含むことを特徴とする項目１３に記載のＴＤＬＳ樹立手順。
（項目１５）
前記ＴＤＬＳイニシエータ及び前記対象ピアステーションは、前記同じＡＰに連結されていることを特徴とする項目１３に記載のＴＤＬＳ樹立手順。
（項目１６）
前記ＴＤＬＳ設定確認フレームは、ＨＴ作動情報要素を含み、
前記ＨＴ作動情報要素は、副チャネルオフセット要素を含むことを特徴とする項目１３に記載のＴＤＬＳ樹立手順。
（項目１７）
前記対象ピアステーションが前記ダイレクトリンクを許容する場合、前記ＴＤＬＳ設定応答フレームに含まれたＴＤＬＳ状態コードフィールドに‘成功’を示す値が設定されることを特徴とする項目１３に記載のＴＤＬＳ樹立手順。
（項目１８）
無線ＬＡＮ（Ｗｉｒｅｌｅｓｓ  Ｌｏｃａｌ  Ａｃｃｅｓｓ  Ｎｅｔｗｏｒｋ）におけるＴＤＬＳ（Ｔｕｎｎｅｌｅｄ  Ｄｉｒｅｃｔ  Ｌｉｎｋ  Ｓｅｔｕｐ）をサポートするためのステーションにおいて、
フレームを生成して処理するプロセッサ；及び
前記プロセッサと連結されて、前記プロセッサのために前記フレームを送信及び受信する送受信機を含み、
前記ステーションは、ＡＰを経由して対象ピアステーションにＴＤＬＳ設定要求フレームを送信して、前記ＴＤＬＳ設定要求フレームに応えて前記対象ピアステーションから前記ＡＰを経由してＴＤＬＳ設定応答フレームを受信して、前記ＴＤＬＳ設定応答フレームに応えて前記対象ピアステーションに前記ＡＰを経由してＴＤＬＳ設定確認フレームを送信することを特徴とするステーション。
（項目１９）
前記ＴＤＬＳ設定確認フレームは、ＥＤＣＡパラメータセット情報要素及び／またはＨＴ作動情報要素を含むことを特徴とする項目１８に記載のステーション。
（項目２０）
無線ＬＡＮにおけるＴＤＬＳ（Ｔｕｎｎｅｌｅｄ  Ｄｉｒｅｃｔ  Ｌｉｎｋ  Ｓｅｔｕｐ）をサポートするステーションにおいて、
フレームを生成して処理するプロセッサ；及び
前記プロセッサと連結されて、前記プロセッサのために前記フレームを送信及び受信する送受信機を含み、
前記ステーションは、ＴＤＬＳイニシエータからＡＰを経由してＴＤＬＳ設定要求フレームを受信して、前記ＴＤＬＳ設定要求フレームに応えて前記ＴＤＬＳイニシエータに前記ＡＰを経由してＴＤＬＳ設定応答フレームを送信して、前記ＴＤＬＳ設定応答フレームに応えて前記ＴＤＬＳイニシエータから前記ＡＰを経由してＴＤＬＳ設定確認フレームを受信することを特徴とするステーション。
【国際調査報告】
2010539844.tif 000016
2010539844.tif 000017